(57)【要約】【課題】入力された画像に付加情報を重ねて記録媒体に形成する際に、その付加情報が記録媒体からはみ出すことなく、利用者が意図した位置に容易に形成する。【解決手段】画像形成装置１００は、画像読取部２０から読み込んだ画像やプリントコントローラ１０２からのプリントジョブ等の入力画像に付加情報を重ねて印字する際、その入力画像おける付加情報の印字位置を操作部３０から受け付け、その受け付けた付加情報に基づく画像がプリンタ部４０で画像形成を行う記録媒体の画像形成領域からはみ出す場合に補正する。【選択図】図１
2007160732.tif 000002
【特許請求の範囲】
【請求項１】
入力画像に付加情報を合成し、当該合成後の画像を記録媒体に形成する画像形成装置において、
前記入力画像の画像領域における前記付加情報の合成位置を指示する付加情報合成位置指示手段と、
前記付加情報合成位置指示手段に基づく合成位置で合成した場合に、前記付加情報が前記記録媒体における記録可能領域に収まるか否かを判定する判定手段と、
前記判定手段の結果に応じて前記付加情報の合成位置を調整して前記入力画像と合成し、当該合成後の画像の画像形成を行う制御手段と、
を備えることを特徴とする画像形成装置。
【請求項２】
前記制御手段は、前記付加情報の合成位置を調整する際に付加情報の移動量を最小にする合成位置に調整することを特徴とする請求項１に記載の画像形成装置。
【請求項３】
入力画像に付加情報を合成し、当該合成後の画像を記録媒体に形成する画像形成装置において、
前記入力画像の画像領域における前記付加情報の合成位置を指示する付加情報合成位置指示手段と、
前記付加情報合成位置指示手段に基づく合成位置で合成した場合に、前記付加情報が前記記録媒体における記録可能領域に収まるか否かを判定する判定手段と、
前記判定手段の結果に基づいて、前記付加情報が前記記録媒体における記録可能領域に収まらない場合に、前記記録媒体への画像形成に先立って警告情報を出力する制御手段と、
を備えることを特徴とする画像形成装置。
【請求項４】
前記付加情報の書体、文字の大きさ又は書式の指定を受け付ける付加情報設定手段を更に有し、
前記判定手段は、前記付加情報設定手段で設定された付加情報が前記記録媒体における記録可能領域に収まるか否かを判定することを特徴とする請求項１〜３のいずれか一項に記載の画像形成装置。
【発明の詳細な説明】
【技術分野】
【０００１】
本発明は、記録媒体に画像を形成する画像形成装置に関する。
【背景技術】
【０００２】
従来から、スキャナによる原稿の読み取りによる画像データや外部の情報機器から入力される画像データに基づいて紙などの記録媒体に画像を形成する際の記録媒体上に、作成日時や作成者等の所定の付加情報を重ねて形成する画像形成装置がある。
【０００３】
この所定の付加情報を重ねて画像形成する機能は、一般的にはスタンプ機能又は透かして形成する場合はウォーターマーク機能と呼ばれている。この付加情報を記録媒体上に形成する場合は、記録媒体からはみ出すことなく行う必要がある。
【０００４】
この付加情報をはみ出すことなく重ねて画像形成する技術として、特許部文献１には、記録媒体である用紙の印刷領域のサイズに基づいてウォーターマーク（付加情報）がその印刷領域をはみ出さない様に調整する技術が開示されている。また、特許文献２には、任意サイズのスタンプ画像（付加情報）に関する技術が開示されている。
【特許文献１】特開２００３−２２０７４８号公報
【特許文献２】特開２００４−３２８２５２号公報
【発明の開示】
【発明が解決しようとする課題】
【０００５】
しかしながら、上記の従来技術では、読み取りや入力による画像データに基づく画像領域のどこに付加情報を形成するか、つまり、入力される原稿のどの部分に付加情報を形成するかの指定又は出力先である記録媒体のどの部分に付加情報を形成するかの指定を行っていた。
【０００６】
このため、原稿での指定の場合は、原稿領域に指定された付加情報が収まるか否かの判定を行う構成であり、原稿の大きさが記録媒体より大きく等倍に画像形成する場合、付加情報が記録媒体からはみ出してしまう虞があった。また、記録媒体での指定の場合は、記録可能領域に付加情報が収まるか否かの判定を行う構成であり、原稿よりサイズの大きい記録媒体に等倍で画像形成し、その画像形成後の記録媒体の余白部分に対して裁断やステイプルなどの後処理を施す場合、利用者の意図しない後処理部分に付加情報が形成される虞があった。
【０００７】
また、利用者が指定したサイズの付加情報が記録媒体の記録可能領域に収まらない場合は、はみ出さないようにサイズが変更される虞があり、利用者が意図しない付加情報が形成される問題があった。
【０００８】
これら、付加情報が記録媒体からはみ出して画像形成される状況や利用者の意図しない領域に付加情報が画像形成される状況を回避するため、従来は、煩雑な操作による詳細な付加情報の位置設定や試し刷りなどを行う必要があり、不経済であった。
【０００９】
本発明の課題は、上記従来技術の問題に鑑みてなされたものであって、入力された画像に付加情報を重ねて記録媒体に形成する際に、その付加情報が記録媒体からはみ出すことなく、利用者が意図した付加情報を容易に形成する技術を提供することである。
【課題を解決するための手段】
【００１０】
上記課題を解決するために、請求項１に記載の発明は、入力画像に付加情報を合成し、当該合成後の画像を記録媒体に形成する画像形成装置において、前記入力画像の画像領域における前記付加情報の合成位置を指示する付加情報合成位置指示手段と、前記付加情報合成位置指示手段に基づく合成位置で合成した場合に、前記付加情報が前記記録媒体における記録可能領域に収まるか否かを判定する判定手段と、前記判定手段の結果に応じて前記付加情報の合成位置を調整して前記入力画像と合成し、当該合成後の画像の画像形成を行う制御手段と、を備えることを特徴とする。
【００１１】
請求項２に記載の発明は、請求項１に記載の発明において、前記制御手段は、前記付加情報の合成位置を調整する際に付加情報の移動量を最小にする合成位置に調整することを特徴とする。
【００１２】
請求項３に記載の発明は、入力画像に付加情報を合成し、当該合成後の画像を記録媒体に形成する画像形成装置において、前記入力画像の画像領域における前記付加情報の合成位置を指示する付加情報合成位置指示手段と、前記付加情報合成位置指示手段に基づく合成位置で合成した場合に、前記付加情報が前記記録媒体における記録可能領域に収まるか否かを判定する判定手段と、前記判定手段の結果に基づいて、前記付加情報が前記記録媒体における記録可能領域に収まらない場合に、前記記録媒体への画像形成に先立って警告情報を出力する制御手段と、を備えることを特徴とする。
【００１３】
請求項４に記載の発明は、請求項１〜３のいずれか一項に記載の発明において、前記付加情報の書体、文字の大きさ又は書式の指定を受け付ける付加情報設定手段を更に有し、前記判定手段は、前記付加情報設定手段で設定された付加情報が前記記録媒体における記録可能領域に収まるか否かを判定することを特徴とする。
【発明の効果】
【００１４】
請求項１に記載の発明によれば、入力画像に付加情報を重ねて記録媒体に形成する際に、その付加情報が記録媒体からはみ出すことなく、利用者が意図した付加情報を容易に形成することができる。
【００１５】
請求項２に記載の発明によれば、付加情報の合成位置を調整する際にその移動量を最小にすることができるため、より利用者が意図した位置に近いところに付加情報を形成することができる。
【００１６】
請求項３に記載の発明によれば、その付加情報が記録媒体に収まらない場合に警告情報を出力することができ、付加情報が記録媒体からはみ出すことを未然に防止することができる。
【００１７】
請求項４に記載の発明によれば、利用者が意図する付加情報の書体、文字の大きさ又は書式に設定した場合においても、付加情報を記録媒体からはみ出すことなく画像形成することができる。
【発明を実施するための最良の形態】
【００１８】
以下、この発明の実施の形態について図１〜図１１を参照して説明するが、この発明は、この実施の形態に限定しない。また、この発明の実施の形態は発明の最も好ましい形態を示すものであり、発明の用途や用語等はこれに限定するものではない。
【００１９】
図１は、本発明である画像形成装置１００の断面概略図であり、図２は、画像形成装置１００の機能的構成を模式的に示すブロック図であり、図３は、画像形成装置１００の動作構成を模式的に示すブロック図であり、図４は、画像形成装置１００における付加情報合成処理を示すフローチャートであり、図５は、画像形成装置１００における付加情報合成処理の変形例を示すフローチャートであり、図６（ａ）は、付加情報の印字位置を設定する画面構成を例示する図であり、図６（ｂ）は、付加情報の印字位置を微調整する画面構成を例示する図であり、図７（ａ）は、読取領域Ｒに対する付加情報の印字位置を例示する図であり、図７（ｂ）は、付加情報の印字例を示す図であり、図８（ａ）は、原稿と同サイズの転写紙に拡大印刷する場合の印字例を示す図であり、図８（ｂ）は、原稿と同サイズの転写紙に縮小印刷する場合の印字例を示す図であり、図９（ａ）は、原稿よりサイズの大きい転写紙に等倍印刷する場合の印字例を示す図であり、図９（ｂ）は、原稿よりサイズの小さい転写紙に等倍印刷する場合の印字例を示す図であり、図１０（ａ）は、原稿と同サイズの転写紙に付加情報の印字位置を微調整して印刷する場合の印字例を示す図であり、図１０（ｂ）は、原稿と同サイズの転写紙に付加情報の印字サイズを大きくして印字する場合の印字例を示す図であり、図１１は、付加情報が転写紙に収まらない場合の警告画面を例示する図である。
【００２０】
先ず、画像形成装置１００の構成について説明する。画像形成装置１００は、図１に示すように、画像読取部２０、プリンタ部４０及び給紙ユニット５０により構成されてなる。画像読取部２０は、プリンタ部４０の上部に設置され、自動原稿送り装置２０ａ及び原稿画像走査露光装置２０ｂを備える。自動原稿送り装置２０ａ（ＡＤＦ：Auto Document Feeder）は、原稿トレイに載置された原稿ｇを搬送機構により搬送して原稿画像走査露光装置２０ｂの方へ送り出す。また、自動原稿送り装置２０ａは、特に図示しないＣｄＳセル等を備え、載置された原稿ｇの位置・サイズ検出を行う。原稿画像走査露光装置２０ｂは、搬送された原稿ｇ（又は原稿画像走査露光装置２０ｂの直上の原稿台に載置された原稿ｇ）に光源からの光をライン状に走査して照射し、その反射光をＣＣＤ２１（Charge-Coupled  Device）により電気信号（アナログ信号）に変換し、Ａ／Ｄコンバータにより、このアナログ信号をデジタル信号に変換することによって、デジタル画像信号（以下、画像データと呼ぶ）を取得する。
【００２１】
プリンタ部４０は、記録媒体Ｐに画像を形成する画像形成部４１、定着部７及び記録媒体Ｐを搬送する搬送機構により構成される。
【００２２】
画像形成部４１は、ポリゴンミラーによりレーザビームを像担持体２（感光体ドラム）上に走査して静電潜像を形成する露光部１と、像担持体２と、像担持体２を帯電させる帯電部３と、像担持体２上にトナーを付着させる現像部４と、転写部５と、像担持体２の周面上に残ったトナーをクリーニングするクリーニング部６により構成されてなる。
【００２３】
定着部７は、紙などの転写材である記録媒体Ｐに対し、熱定着処理を実行することにより、トナー画像を記録媒体Ｐに定着させる。
【００２４】
給紙ユニット５０は、手差しなどにより記録媒体Ｐを供給する紙差し込み部９ａ、各種サイズの記録媒体Ｐを収容するカセット９ｂ、９ｃ及び搬送ローラ等により構成され、指定されたサイズの記録媒体Ｐを画像形成部４１に搬送する。
【００２５】
なお、画像形成装置１００は、特に図示しないが、定着部７の後段にステイプル、パンチ穴あけ、折り込み、裁断処理等の後処理を行うフィニッシャーを備えても良い。
【００２６】
次に、画像形成装置１００の機能的構成について説明する。画像形成装置１００は、図２に示すように、本体部１０１及びプリントコントローラ１０２から構成され、本体部１０１のＬＡＮＩＦ１９（Local  Area  Network  InterFace）又はプリントコントローラ１０２のＬＡＮＩＦ６２を介してＬＡＮ上の情報端末ＰＣと相互に情報の送受信が可能に構成される。なお、情報端末ＰＣは、ＣＲＴやＬＣＤなどの表示装置、キーボードやマウスなどの入力装置、プログラムやデータなどを格納する記録装置及びＣＰＵなどの演算装置等で構成される一般的なＰＣ（Personal  Computer）やＷＳ（Work  Station）である。
【００２７】
先ず、本体部１０１について説明する。
本体部１０１は、制御本体部１０、画像読取部２０、操作部３０、プリンタ部４０及び記憶装置７０から構成されてなる。
【００２８】
制御本体部１０は、画像制御部１１、不揮発メモリ１２、読取処理部１３、圧縮ＩＣ１４（Integrated  Circuit）、ＤＲＡＭ制御ＩＣ１５、画像メモリ１６、伸長ＩＣ１７、書込処理部１８及びＬＡＮＩＦ１９から構成されてなる。
【００２９】
画像制御部１１は、ＣＰＵ（Central  Processing  Unit）等から構成され、不揮発メモリ１２や記憶装置７０に格納されている各種処理プログラムや設定データに基づいた処理を順次実行することで画像形成装置１００の各部の動作を集中制御する。例えば、操作部３０から入力される操作信号に従って、コピーモード、プリンタモード、スキャナモード等の動作モードを切り換え、不揮発メモリ１２や記憶装置７０に格納されている各モードに対する処理プログラムを読み出して、複写、印刷、画像データの読取等の制御を行う。
【００３０】
不揮発メモリ１２は、画像制御部１１における初期起動処理、画像処理、印刷処理等の各種処理プログラム及び当該処理プログラムで使用する設定データなどを格納する。
【００３１】
読取処理部１３は、画像読取部２０のＣＣＤ２１から入力されるアナログ画像信号に、アナログ処理、シェーディング処理等の各種処理を施した後、Ａ／Ｄ変換処理を行ってデジタル画像データを生成する。生成された画像データは圧縮ＩＣ１４に出力される。
【００３２】
圧縮ＩＣ１４は、入力された画像データに圧縮処理を施してＤＲＡＭ制御ＩＣ１５に出力する。
【００３３】
ＤＲＡＭ制御ＩＣ１５は、画像制御部１１からの指示に従って、圧縮ＩＣ１４による画像データ圧縮処理及び伸長ＩＣ１７による圧縮データの伸長処理を制御するとともに、画像メモリ１６への画像データの入出力制御を行う。例えば、画像読取部２０により読み取られた画像データの保存が指示されると、読取処理部１３から入力された画像データの圧縮処理を圧縮ＩＣ１４により実行させて、圧縮画像データを画像メモリ１６の圧縮メモリ１６ａに格納させる。また、圧縮メモリ１６ａに格納された圧縮画像データの印刷出力が指示されると、圧縮メモリ１６ａから圧縮画像データを読み出し、伸長ＩＣ１７により伸長処理を実行させてページメモリ１６ｂに格納させる。さらに、ページメモリ１６ｂに格納された画像データを読み出して書込処理部１８に出力する。
【００３４】
画像メモリ１６は、ＤＲＡＭ（Dynamic  Random  Access  Memory）から構成される圧縮メモリ１６ａ及びページメモリ１６ｂを備える。圧縮メモリ１６ａは、圧縮画像データを格納するためのメモリであり、ページメモリ１６ｂは、印刷前に印刷対象の非圧縮画像データを一時的に格納するためのメモリである。
【００３５】
伸長ＩＣ１７は、入力される圧縮画像データに伸長処理を施す。
【００３６】
書込処理部１８は、ＤＲＡＭ制御ＩＣ１５から入力された印刷対象の画像データに基づいて、画像形成のための印刷用データを生成し、プリンタ部４０に出力する。
【００３７】
ＬＡＮＩＦ１９は、ネットワークインターフェイスカード（以下、ＮＩＣ：Network  Interface  Card）、モデム等のＬＡＮや通信回線と接続するための通信インターフェイスであり、ＬＡＮ上の情報端末ＰＣから印刷対象の画像データ、テキストデータなどを送受信する。
【００３８】
画像読取部２０は、前述したＡＤＦ、ＣＣＤ２１及び当該ＡＤＦやＣＣＤ２１を画像制御部１１からの指示に応じて駆動制御する読取制御部２２から構成され、原稿台に載置された原稿面を露光走査した光の反射光をＣＣＤ２１により光電変換することで原稿画像を読み取る。読み取られた原稿画像のアナログ画像信号は、制御本体部１０の読取処理部１３に出力される。
【００３９】
操作部３０は、ＬＣＤ３１（Liquid  Crystal  Display）、操作制御部３２、その他図示しない操作キー群から構成される。ＬＣＤ３１上には当該ＬＣＤ３１を覆うようにタッチパネルが設けられており、操作制御部３２は、画像制御部１１から入力される表示信号に従って、印刷条件などを入力するための操作画面や各種処理結果等をＬＣＤ３１に表示させる。また、操作制御部３２は、操作キー群又はタッチパネルから入力される操作信号を画像制御部１１に出力する。
【００４０】
プリンタ部４０は、画像形成部４１、画像制御部１１からの指示に従って当該画像形成部４１の画像形成動作を制御するプリンタ制御部４２から構成される。画像形成部４１は、前述した構成により、プリンタ制御部４２からの印刷指示に従って書込処理部１８から入力された印刷データに基づいて記録媒体に画像を形成する。なお、本実施の形態では、電子写真方式を適用した例を説明するが、これに限らず、インクジェット方式、熱昇華方式等、他のプリント方式を適用することとしてもよい。
【００４１】
次に、プリントコントローラ１０２について説明する。プリントコントローラ１０２は、画像形成装置１００をネットワークプリンタとして使用する場合に、ＬＡＮに接続される情報端末ＰＣから画像形成装置１００に入力されるプリントジョブの管理及び制御を行うものであり、情報端末ＰＣから印刷対象の出力データ（テキストデータ、画像データを含む）を受信し、本体部１０１側の動作状態に応じて当該出力データをプリントジョブとして割り振る機能を有する。
【００４２】
プリントコントローラ１０２は、コントローラ制御部６１、ＬＡＮＩＦ６２、ＤＲＡＭ制御ＩＣ６３及び画像メモリ６４から構成されてなる。
【００４３】
コントローラ制御部６１は、プリントコントローラ１０２の各部の動作を統括的に制御し、ＬＡＮを介して情報端末ＰＣから入力される出力データを本体部１０１側の動作状態に応じてプリントジョブとして配信する機能を実現する。
【００４４】
ＬＡＮＩＦ６２は、ＮＩＣやモデム等のＬＡＮや通信回線と接続するための通信インターフェイスであり、情報端末ＰＣからＬＡＮを介して印刷すべき出力データを受信する。受信された出力データはＤＲＡＭ制御ＩＣ６３に出力される。
【００４５】
ＤＲＡＭ制御ＩＣ６３は、ＬＡＮＩＦ６２により受信された出力データの画像メモリ６４への格納や、画像メモリ６４からの出力データの読み出しを制御する。また、ＤＲＡＭ制御ＩＣ６３は、本体部１０１のＤＲＡＭ制御ＩＣ１５とＰＣＩバスで接続されており、コントローラ制御部６１からの指示に従って、印刷する出力データを画像メモリ６４から読み出してＤＲＡＭ制御ＩＣ１５に出力する。
【００４６】
画像メモリ６４は、ＤＲＡＭなどであり、入力された出力データを一時的に格納する。
【００４７】
プリントコントローラ１０２は上記構成を有するため、画像形成装置１００における画像の入力は、前述した画像読取部２０からの原稿読み込み以外に、情報端末ＰＣなどから送信される印刷データ等に基づいてプリントコントローラ１０２で管理されるプリントジョブであってよい。
【００４８】
ここで、上述した構成において画像制御部１１が制御して行う画像形成の概略について説明する。図３に示すように、画像制御部１１は、操作部３０から原稿における付加情報の印字位置などを含む画像形成開始の指示を受け付け、画像読取部２０において原稿を読み込み、圧縮ＩＣ１４、圧縮メモリ１６ａ、伸長ＩＣ１７を介して画像の圧縮と伸長を行い、その読み込んだ画像に基づいた記録媒体への画像形成に必要な画像データをページメモリ１６ｂに格納する。
【００４９】
次いで、画像制御部１１は、原稿における付加情報の印字位置が記録媒体の記録可能領域に収まるように調整した合成座標を算出し、付加情報を画像形成する画像データとページメモリ１６ｂに格納された画像データとをその算出された座標に基づいて合成し、その合成された画像データをプリンタ部４０に出力して記録媒体への画像形成を行う。
【００５０】
次に、画像制御部１１が制御して行う付加情報合成処理の詳細について説明する。画像制御部１１は、図４に示すように、操作部３０からの指示などにより付加情報合成処理が開始されると、その付加情報を入力される画像のどの領域に印字するかなどの付加情報の印字位置に関する情報を操作部３０から受け付け（ステップＳ１１）、画像読取部２０から画像の入力を行う（ステップＳ１２）。
【００５１】
このステップＳ１１における付加情報の位置指定においては、作成日時／時刻、１つの記録媒体に画像形成する度にインクリメントされるカウンタ値又は操作部３０からの指定や記憶装置７０に格納された任意の文字列等の付加情報の内容に関する指定も受け付けて良い。
【００５２】
更に、ステップＳ１１では、付加情報の内容を指定する際に使用する書体（フォント）、文字の大きさ又は書式（縦書き／横書き）の指定も受け付けて良い。なお、書体の指定については、色や網掛けの有無などを指定する構成であってもよい。また、作成日時／時刻の形態については、西暦／和暦、日時のみ／日時と時刻／時刻のみ又は１２時間表記／２４時間表記等のいずれであってもよい。カウンタ値等の数値を出力する形態については、出力する数値の桁数を所定の桁数で固定してもよいし可変にしてもよい。
【００５３】
ステップＳ１１における付加情報に関する操作の受け付けは、図６（ａ）に示すように、操作部３０のＬＣＤ３１に表示される表示画面Ｇを元にタッチパネルの操作に基づいて行われる。表示領域Ｇ１１は、付加情報の印字位置の入力を受け付ける領域であり、入力される画像領域を９分割した画像を表示し、印字する領域の選択を受け付ける。表示領域Ｇ１２は、付加情報の印字例など、付加情報に関するステータスを表示する領域である。表示領域Ｇ１３は、予め登録されている付加情報の内容を選択する領域である。表示領域Ｇ１４は、表示領域Ｇ１３における付加情報の内容の登録や付加情報の確定などの各種機能を選択する領域である。
【００５４】
付加情報の位置の指定については、表示領域Ｇ１１による領域の選択の他、図６（ｂ）に示すように、表示領域Ｇ１５から調整する方向や移動量を指定することで、その選択された領域内における印字位置を微調整する構成であっても良い。
【００５５】
このステップＳ１１における付加情報の指定により、図７（ａ）に示すように、読取領域Ｒの「左上」、「中央上」、「右上」、「左中」、「中央」、「右中」、「左下」、「中央下」又は「右下」の所望の領域に付加情報を印字することができる。更に、その領域において、付加情報の詳細な位置の指定や、印字内容の指定などを行うことができる。なお、付加情報の印字は、上述した領域の一つを選択して行ってもよいが、複数の領域を選択して行う構成であっても良い。
【００５６】
また、付加情報の書式は、図７（ｂ）に示すように「左寄せ」「センタリング」「右寄せ」のいずれであってよい。この書式の選択は、前述した図６（ａ）の表示画面Ｇにおける表示領域Ｇ１４から行う構成であっても良いが、読取領域Ｒの左側の領域が選択された場合は「左寄せ」、中央の領域が選択された場合は「センタリング」、右側の領域が選択された場合は「右寄せ」を選択する構成であり、選択された付加情報の印字領域に応じて書式を変更する構成であっても良い。
【００５７】
図４に戻り、付加情報合成処理の詳細の続きを説明する。ステップＳ１２に次いで、画像制御部１１は、ステップＳ１１での付加情報の設定内容に基づく画像の大きさ、その画像の原稿に対する印字位置より、転写紙（記録媒体）上での付加情報の印字位置を算出し（ステップＳ１３）、その付加情報の設定内容に基づく画像が転写紙からはみ出すか否か、つまり、付加情報に基づく画像が転写紙における画像形成領域からはみ出すか否かを判定し（ステップＳ１４）、はみ出す場合は付加情報の合成位置を補正する（ステップＳ１５）。
【００５８】
このステップＳ１５における補正は、ステップＳ１３で算出された転写紙上での付加情報の印字位置から最小の移動量で付加情報に基づく画像が転写紙における画像形成領域に収まるように行う。なお、この補正は、上述した最小の移動量で補正する構成以外に、原稿サイズと転写紙サイズの比率から転写紙における付加情報の印字位置を算出して行うものであってもよい。
【００５９】
次いで、画像制御部１１は、付加情報の画像、つまり、付加情報を記録媒体へ画像形成する際に必要な画像データを生成し（ステップＳ１６）、画像読取部２０などから入力されてページメモリ１６ｂに格納されている画像データとその生成された画像データを合成し（ステップＳ１７）、その合成された画像データに基づいた画像をプリンタ部４０で転写紙に出力して（ステップＳ１８）、終了する。
【００６０】
ここで、上述した処理により原稿の右上領域に付加情報を印刷するように指定した場合の印字例について、図８〜図１０を参照して説明する。
【００６１】
図８（ａ）に示すような読取領域Ｒと出力領域ＯのサイズがＡ４で２倍に拡大して印刷する場合、図８（ｂ）に示すような読取領域Ｒと出力領域ＯのサイズがＡ４で２倍に拡大して印刷する場合又は図９（ａ）に示すような読取領域ＲのサイズがＡ５で出力領域ＯのサイズがＡ４であって等倍に印刷する場合などは、付加情報に基づく画像が出力領域Ｏにおける画像形成領域に収まるため、その設定のまま印刷される。
【００６２】
図９（ｂ）に示すような読取領域ＲのサイズがＡ４（縦）で出力領域ＯのサイズがＡ５（縦）であって等倍に印刷する場合などは、付加情報に基づく画像が出力領域Ｏにおける画像形成領域に収まらないため、横方向に補正される。
【００６３】
図１０（ａ）に示すような読取領域Ｒと出力領域ＯのサイズがＡ４であり、付加情報の印字位置を微調整（右２ｃｍ、下３ｃｍ）して等倍に印刷する場合は、微調整により横方向にはみ出した分が補正される。
【００６４】
図１０（ｂ）にしめすような読取領域Ｒと出力領域ＯのサイズがＡ４であり、付加情報のフォントを大きく変更して等倍に印刷する場合は、フォントが大きくなり横方向にはみ出した分が補正される。
【００６５】
［変形例］
ここで、画像制御部１１が行う付加情報合成処理の変形例として、転写紙からはみ出すと判定された場合に警告する構成について、図５、図１１を参照して説明する。なお、簡略化のために前述と同様の構成については説明を省略し、ステップＳ１４において原稿における位置や大きさを指定した付加情報に基づく画像が転写紙よりはみ出すと判定された場合のステップＳ２５〜Ｓ２８の処理及びＬＣＤ３１における警告表示についてのみ説明する。
【００６６】
図５に示すように、画像制御部１１は、付加情報に基づく画像が転写紙における画像形成領域からはみ出すと判定した場合（ステップＳ１４：Ｙｅｓ）、警告メッセージと「自動調整」「このまま処理を継続する」「処理を中止する」などの選択肢をＬＣＤ３１に表示して指示を受け付ける（ステップＳ２５）。
【００６７】
上述したＬＣＤ３１における表示は、図１１に示すように、表示画面Ｇ上の表示領域Ｇ１２、Ｇ１６、Ｇ１７で行われる。表示領域Ｇ１２には、付加情報が転写紙における画像形成領域からはみ出す旨の警告が表示される。表示領域Ｇ１６には画像による案内が表示される。表示領域Ｇ１７には処理の選択肢が表示される。このＬＣＤ３１による表示により、画像形成装置１００は、付加情報が画像形成領域からはみ出す場合に利用者に警告することができ、利用者が意図しない付加情報の印字を防止することができる。
【００６８】
次いで、画像制御部１１は、操作部３０からの入力指示に基づいて付加情報の印字位置を自動調整するか否かの判定を行い（ステップＳ２６）、自動調整する場合は前述したステップＳ１５以降の処理を行う。自動調整しない場合、画像制御部１１は、そのままの印字位置で強制的に出力するか否かの判定を行い（ステップＳ２７）、印字する場合はステップＳ１６の処理に以降し、印字しない場合は終了する。
【００６９】
以上、本実施の形態によれば、画像形成装置１００は、画像読取部２０から読み込んだ画像やプリントコントローラ１０２からのプリントジョブ等の入力画像に付加情報を重ねて印字する際、その入力画像おける付加情報の印字位置を操作部３０から受け付け、その受け付けた付加情報に基づく画像がプリンタ部４０で画像形成を行う記録媒体の画像形成領域からはみ出すような場合には付加情報の位置を補正する構成である。
【００７０】
このため、画像形成装置１００は、付加情報がプリンタ部４０で形成される記録媒体からはみ出すことなく、はみ出すような場合は付加情報の位置が補正されるため、利用者が意図した付加情報を容易に形成することができる。
【００７１】
また、画像形成装置１００は、付加情報の合成位置を調整する際にその移動量を最小にするため、付加情報をはみ出さないように調整する場合であっても、より利用者が意図した位置に近いところに付加情報を形成することができる。
【００７２】
また、画像形成装置１００は、付加情報に基づく画像がプリンタ部４０で画像形成を行う記録媒体の画像形成領域からはみ出す場合には警告メッセージをＬＣＤ３１から出力する構成である。このため、画像形成装置１００は、付加情報が記録媒体からはみ出すことを事前に利用者に知らしめ、利用者が意図しない画像形成を未然に防止することができる。
【００７３】
また、画像形成装置１００は、付加情報の書体、文字の大きさ、書式、大きく区分けされた領域内における印字位置の微調整量などを操作部３０から受け付ける構成であり、それに応じた付加情報が記録媒体に収まるか否かを画像制御部１１で判定する構成である。このため、利用者が意図する形態の付加情報を記録媒体からはみ出すことなく画像形成することができる。
【００７４】
なお、本実施の形態における記述は、本発明の一例を示すものであり、これに限定しない。本実施の形態における画像形成装置１００の細部構成及び細部動作に関しては、本発明の趣旨を逸脱しない範囲で適宜変更が可能である。
【００７５】
例えば、本実施の形態において、画像の入力や利用者からの操作指示は、画像読取部２０や操作部３０から行う構成を主に示したが、情報端末ＰＣから行う構成であってもよい。更に、ＬＣＤ３１に表示する警告メッセージは、上記情報端末ＰＣにおける表示装置の表示画面上であってもよい。
【図面の簡単な説明】
【００７６】
【図１】本発明である画像形成装置１００の断面概略図である。
【図２】画像形成装置１００の機能的構成を模式的に示すブロック図である。
【図３】画像形成装置１００の動作構成を模式的に示すブロック図である。
【図４】画像形成装置１００における付加情報合成処理を示すフローチャートである。
【図５】画像形成装置１００における付加情報合成処理の変形例を示すフローチャートである。
【図６】（ａ）は、付加情報の印字位置を設定する画面構成を例示する図であり、（ｂ）は、付加情報の印字位置を微調整する画面構成を例示する図である。
【図７】（ａ）は、読取領域Ｒに対する付加情報の印字位置を例示する図であり、（ｂ）は、付加情報の印字例を示す図である。
【図８】（ａ）は、原稿と同サイズの転写紙に拡大印刷する場合の印字例を示す図であり、（ｂ）は、原稿と同サイズの転写紙に縮小印刷する場合の印字例を示す図である。
【図９】（ａ）は、原稿よりサイズの大きい転写紙に等倍印刷する場合の印字例を示す図であり、（ｂ）は、原稿よりサイズの小さい転写紙に等倍印刷する場合の印字例を示す図である。
【図１０】（ａ）は、原稿と同サイズの転写紙に付加情報の印字位置を微調整して印刷する場合の印字例を示す図であり、（ｂ）は、原稿と同サイズの転写紙に付加情報の印字サイズを大きくして印字する場合の印字例を示す図である。
【図１１】付加情報が転写紙に収まらない場合の警告画面を例示する図である。
【符号の説明】
【００７７】
１００  画像形成装置
１  露光部
２  像担持体
３  帯電部
４  現像部
５  転写部
６  クリーニング部
７  定着部
９ａ  紙差し込み部
９ｂ、９ｃ  カセット
１０  制御本体部
１１  画像制御部（判定手段、制御手段）
１２  不揮発メモリ
１３  読取処理部
１４  圧縮ＩＣ
１５  ＤＲＡＭ制御ＩＣ
１６  画像メモリ
１６ａ  圧縮メモリ
１６ｂ  ページメモリ
１７  伸長ＩＣ
１８  書込処理部
１９  ＬＡＮＩＦ
２０  画像読取部
２０ａ  自動原稿送り装置
２０ｂ  原稿画像走査露光装置
２１  ＣＣＤ
２２  読取制御部
３０  操作部（付加情報合成位置指示手段、付加情報設定手段）
３１  ＬＣＤ
３２  操作制御部
４０  プリンタ部
４１  画像形成部
４２  プリンタ制御部
５０  給紙ユニット
６１  コントローラ制御部
６２  ＬＡＮＩＦ
６３  ＤＲＡＭ制御ＩＣ
６４  画像メモリ
７０  記憶装置
１０１  本体部
１０２  プリントコントローラ
ｇ  原稿
Ｇ  表示画面
Ｇ１１〜Ｇ１７  表示領域
Ｏ  出力領域
Ｐ  記録媒体
ＰＣ  情報端末（付加情報合成位置指示手段、付加情報設定手段）
Ｒ  読取領域
【図１】
2007160732.tif 000003
【図２】
2007160732.tif 000004
【図３】
2007160732.tif 000005
【図４】
2007160732.tif 000006
【図５】
2007160732.tif 000007
【図６】
2007160732.tif 000008
【図７】
2007160732.tif 000009
【図８】
2007160732.tif 000010
【図９】
2007160732.tif 000011
【図１０】
2007160732.tif 000012
【図１１】
2007160732.tif 000013